(57)【要約】【課題】ビール泡立て装置を持った手で容器をそのまま取り扱うことができるビール泡立て装置を提供すること。【解決手段】ビール容器に入ったビールを泡立てるビール泡立て装置において、片手の一部の手指を差込み可能に構成された手指差込み部と、前記手指差込み部の腹側の内壁に設けられた超音波振動子と、前記超音波振動子を作動させるための駆動装置と、前記手指差込み部に連結され前記駆動装置を収容する本体部とを備え、手指を差し込んだ手指差込み部と、それ以外の手指とで前記ビール容器を握れるように構成した。【選択図】図１
2020104901.tif 000002
【特許請求の範囲】
【請求項１】
ビール容器に入ったビールを泡立てるビール泡立て装置において、片手の一部の手指を差込み可能に構成された手指差込み部と、前記手指差込み部の腹側の内壁に設けられた超音波振動子と、前記超音波振動子を作動させるための駆動装置と、前記手指差込み部に連結され前記駆動装置を収容する本体部とを備え、手指を差し込んだ手指差込み部と、それ以外の手指とで前記ビール容器を握れるように構成したことを特徴とするビール泡立て装置。
【請求項２】
前記手指差込み部は、親指、人差し指又は中指を差込み可能に構成されたことを特徴とする請求項１記載のビール泡立て装置。
【請求項３】
前記駆動装置を作動させるモーメンタリスイッチ用ボタンが設けられていることを特徴とする請求項１又は請求項２記載のビール泡立て装置。
【請求項４】
前記モーメンタリスイッチ用ボタンは、前記手指差込み部に手指を差し込んだときに、その手指の腹に当たる位置に設けられていることを特徴とする請求項３記載のビール泡立て装置。
【発明の詳細な説明】
【技術分野】
【０００１】
本発明は、ビール泡立て装置に関するものである。
【背景技術】
【０００２】
従来、ビール泡立て装置として、本体部に超音波振動子及び超音波ホーンが設けられ、本体部にグリップが形成され片手で把持及び操作可能に構成された装置が知られている（例えば、特許文献１参照）。
【０００３】
この泡立て装置によれば、ビール容器を動かさずに、泡立て装置の方を片手で把持してビール容器に近づけて接触させることでビールを泡立て、遠ざけて非接触とさせることでビールの泡立てを停止させることができる。したがって、ビール容器を所定の位置に据え置く据置きタイプの泡立て装置よりも構成が簡素となり、ビールの泡立てが簡便に行えることになる。
【先行技術文献】
【特許文献】
【０００４】
【特許文献１】特許第４１３５５６８号公報
【発明の概要】
【発明が解決しようとする課題】
【０００５】
しかしながら、上記特許文献１開示の技術では、例えば、片手で泡立て装置を把持及び操作はできるが、容器内のビールを安定して泡立てるには他方の手で容器を押さえて静止させておく必要がある。また、泡立てたビールを注ぐ際には、泡立て装置をテーブルに置くか、或いは、泡立て装置を片手で持ったまま他方の手でビールを注がなければならなかった。
また、容器を静止させて泡立てることから、容器がアルミ缶のように外部から内部が見えないものでは、目視によって泡立て具合を調整するのが難しいという問題があった。
【０００６】
本発明は、かかる問題点に鑑みなされたもので、ビール泡立て装置を持った手で容器をそのまま取り扱うことができるビール泡立て装置を提供することを目的とする。
【課題を解決するための手段】
【０００７】
第１の手段は、ビール容器に入ったビールを泡立てるビール泡立て装置において、片手の一部の手指を差込み可能に構成された手指差込み部と、前記手指差込み部の腹側の内壁に設けられた超音波振動子と、前記超音波振動子を作動させるための駆動装置と、前記手指差込み部に連結され前記駆動装置を収容する本体部とを備え、手指を差し込んだ手指差込み部と、それ以外の手指とで前記ビール容器を握れるように構成したことを特徴とする。ここで、「連結」とは、直接連結される場合と、中間部材を介して連結される場合の双方を含む。
【０００８】
第２の手段は、第１の手段において、前記手指差込み部は、親指、人差し指又は中指を差込み可能に構成されたことを特徴とする。
【０００９】
第３の手段は、第１の手段又は第２の手段において、前記駆動装置を作動させるモーメンタリスイッチ用ボタンが設けられていることを特徴とする。
【００１０】
第４の手段は、第３の手段において、前記モーメンタリスイッチ用ボタンは、前記手指差込み部に手指を差し込んだときに、その手指の腹に当たる位置に設けられていることを特徴とする。
【発明の効果】
【００１１】
第１の手段によれば、ビール容器を掴んだままで泡立てたビールを注ぐことができる。すなわち、泡立てたビールを注ぐ際に一々ビール泡立て装置を脇に置いたりする手間がいらなくなる。また、ビールを注ぎながら泡立てることができるので、泡立て具合を簡単に調整することができる。
【００１２】
第２の手段によれば、手指差込み部は親指、人差し指又は中指を差込み可能に構成されているので、親指又は人差し指を差し込んだ手指差込み部と、手指差込み部に差し込まれていない他の手指とで、確実に、ビール容器を掴むことができる。
【００１３】
第３の手段によれば、モーメンタリスイッチに連結されたボタンを押している間だけ駆動装置を作動させ、ビールを泡立てることができるので、操作性がよく、泡立て具合を簡単に調整することができる。
【００１４】
第４の手段によれば、前記モーメンタリスイッチ用ボタンは、前記手指差込み部に手指を差し込んだときに、その手指の腹に当たる位置に設けられているので、容器の握り具合を変えるだけでモーメンタリスイッチ用ボタンを簡単に操作することができる。
【図面の簡単な説明】
【００１５】
【図１】実施形態に係るビール泡立て装置を使用している状態を示した斜視図である。
【図２】ビール泡立て装置を表面側から見た状態を示した斜視図である。
【図３】ビール泡立て装置を内面側から見た状態を示した斜視図である。
【図４】駆動装置の一例を示したブロック図である。
【図５】駆動装置の回路部品や超音波振動子等の本体部への収納状態の一例を示した図である。
【発明を実施するための形態】
【００１６】
以下、本発明の実施形態を図面に基づいて説明する。
（全体構成）
図１は、実施形態に係るビール泡立て装置の使用状態の一場面を示した斜視図である。
本実施形態の泡立て装置１００は、図2に示すように、親指差込み部（手指差込み部）１０と、押当て部２０と、本体部３０とを備えている。
本実施形態の泡立て装置１００は、右手の親指を親指差込み部１０に差し込むとともに、親指と人差し指の間の指間部を押当て部２０にあてがい、押当て部２０と本体部３０の内面をビール缶５０に押し当てた状態で、右手でビール缶５０を掴むことによって使用することができる。そして、本実施形態の泡立て装置１００によれば、右手でビール缶５０を傾けることによって泡無しのビールをグラスに注ぎ、その際に、ボタン３２を押すことで泡化したビールをグラスに注ぐことができる。
【００１７】
（細部構成）
１．親指差込み部１０について
親指差込み部１０は親指の第１関節より先の部分が挿入可能な大きさとなっている。ここで第１関節より先の部分としたのは、親指を曲げやすくすることにより、ビール缶を掴み易くするためである。
親指差込み部１０の内面側はビール缶５０の外面に押し当てることができるように湾曲し(図３参照)、そこには超音波振動子１１及び超音波ホーン１２が付設されている。したがって、少なくとも親指差込み部１０の内壁は超音波振動子と超音波ホーンを保持し得る硬さの材料で形成されていることが好ましいが、親指差込み部１０の外面側は布や軟質ゴムによって形成されていてもよい。要は、ビール泡立て装置１００をビール缶５０に押し当てる際に、親指差込み部１０から親指が抜けないようにしておくことである。
この親指差込み部１０の開口側には平面視で弧状の押当て部２０が連設されている。
【００１８】
２．押当て部２０について
押当て部２０の内面は、ビール缶５０に広い部分で押し当てることができるように湾曲している(図３参照)。一方、押当て部２０の外面も内面と同心的に湾曲している。これにより、ビール缶５０に押当て部が押し当てられたときに右手がビール缶５０の外面に沿って曲げられるため。ビール缶５０を掴みやすくなる。この押当て部２０は、親指と人差し指との間の指間部の内側をあてがうために設けられたものである。
押当て部２０の幅は、親指差込み部１０に親指を挿入し、押当て部に親指と人差し指との指間部をあてがった状態で、人差し指が押当て部２０からはみ出る程度の寸法となっている。これによって、使用者は人差し指を根元から曲げ易くなり、ビール缶５０を掴み易くなる。
なお、押当て部２０の上縁は縁取られており、外側に向けて突き出ている。これによって、確実に、使用者は親指と人差し指との指間部を位置決めすることができる。
押当て部２０の下には、超音波振動子１１を作動させるための駆動装置８０（図４参照）の回路部品である電源部８１、制御部８２、昇圧駆動回路８３及び昇圧トランス回路８４を備える。同図において、符号３２ａはモーメンタリスイッチ、符号８５は作動中であることを表示する発光ダイオードを示している。発光ダイオード８５は例えば親指差込み部１０の外面や押当て部２０の上縁のように外部から視認できる位置に設けられる。なお、電源部８１としては例えば電気二重層キャパシタが用いられているが、それ以外の充電池でもよいし、乾電池であってもよい。また、内部電源でなく外部電源であってもよい。
また、図５には駆動装置８０の回路部品や超音波振動子１１等の本体部３０への収納状態の一例が示されている。
この押当て部２０の下側には本体部３０が連設されている。
【００１９】
３．本体部３０について
本体部３０は使用者の手の平に収まる程度の大きさに構成されている。本体部３０の内面は、押当て部２０をビール缶５０に押し付けた際に、同時に、ビール缶５０に広い部分で押し当てられるようにビール缶５０の外周と同じ曲率となるように湾曲している(図３参照)。これにより、ビール缶５０を安定的に掴むことができる。
本体部３０の幅は、親指差込み部１０に親指を挿入し、押当て部２０に親指と人差し指との指間部の内側をあてがったときに中指、薬指及び小指がはみ出る程度となっている。また、本体部３０の側面は上下方向の中央部３１が括れている。これによって、中指、薬指及び小指を比較的自由に動かすことができる。
【００２０】
４．モーメンタリスイッチ用ボタン３２について
親指差込み部１０内には、モーメンタリスイッチ３２ａに連結されたボタン（モーメンタリスイッチ用ボタン）３２が付設されている。このボタン３２は、親指の腹によって操作可能に構成されている。そして、このボタン３２は、親指差込み部１０に差し込んだ親指の腹をボタン３２に強く押し当てることで、換言すれば、ビール缶５０を強く握ることで、操作される。このボタン３２を押している間、駆動装置８０が作動して超音波振動子１１を振動させる。なお、この場合、ボタン３２の頭をスポンジやゴム等のクッション材で覆っておき、強くビール缶５０を握ったときだけ、ボタン３２が押されるようにしておくことが好ましい。
なお、本体部３０の下半部の外面は外方に向けて盛り上がっている。これにより、駆動装置８０の回路部品の収容を容易に行えるとともに、本体部３０のビール缶５０への押当てが確実に行えることになる。
【００２１】
５．使用方法について
次に、実施形態のビール泡立て装置１００の使用例を説明する。
先ず、泡立て対象となるビール缶５０を用意して、ビール缶５０の注ぎ口を開ける。その後或いはその前に、右手の親指をビール泡立て装置１００の親指差込み部１０に挿入するとともに、押当て部２０に親指と人差し指との間の指間部の内側をあてがい、親指差込み部１０、押当て部２０及び本体部３０の内面をビール缶５０の外周に押し当てるようにし、親指差込み部１０とその他の指とでビール缶５０を掴む。
そして、グラス６０に先ず泡無しのビールを注ぐ場合には、右手で掴んだビール缶５０を傾けてビール缶５０から泡無しビールをグラス６０に注ぐ。グラス６０に注いだビールが所定量になったら、本体部３０のボタン３２を押しながらビールを注ぐ。これによって、泡無しのビールの上に泡立ったビールがグラス６０に注がれる。
【００２２】
６．実施形態の効果
本実施形態のビール泡立て装置１００によれば次のような主たる効果が得られる。
すなわち、本実施形態のビール泡立て装置１００は片手で持つことができるので、何処にでも手軽に持って行き使用することができる。
【００２３】
また、本実施形態のビール泡立て装置１００はビール缶５０を掴んだままで操作することができることから、泡立てたビールを注ぐ際に一々ビール泡立て装置１００を脇に置いたりする手間がいらなくなる。
【００２４】
さらに、ビールを注ぎながら泡立て具合を見ることができ、また、ボタン３２を操作することができるので、簡単に泡立て具合を調整することができる。
【００２５】
（変形例）
以上、本発明の実施形態について説明したが、本発明は、かかる実施形態に限定されるものではなく、その要旨を逸脱しない範囲で、種々の変形が可能であることは言うまでもない。
例えば、上記実施形態では、ビール泡立て装置１００では本体部３０が手の平に収まるように構成したが、本体部３０が手の甲の上に乗るような構成としてもよい。
【００２６】
また、上記実施形態では、ビール容器としてビール缶５０を挙げたが、ビール容器はビール缶５０に限定されず、ビール瓶でもよいし、グラス６０であってもよい。グラス６０の場合、グラス６０に注いだビールをその場で泡立てその手でビールを飲むこともできる。
【００２７】
さらに、上記実施形態では、手指差込み部の例として親指差込み部１０を設けたが、それの代わりに、人差し指差込み部を設けてもよい。この場合には、モーメンタリスイッチ用ボタン３２を人差し指差込み部内に設けて人差し指の腹で操作できるようにしてもよいが、隣の中指で操作できるように人差し指差込み部の外面にモーメンタリスイッチ用ボタン３２を設けてもよい。また、それらに代えて、中指差込み部を設けてもよい。この場合には、モーメンタリスイッチ用ボタン３２を中指差込み部内に設けて中指の腹で操作できるようにしてもよいが、隣の人差し指で操作できるように中指差込み部の外面にモーメンタリスイッチ用ボタン３２を設けてもよい。
【００２８】
また、上記実施形態では、右手用のビール泡立て装置１００について説明したが、左右対称形として左手用のビール泡立て装置とすることもできることは勿論である。
【符号の説明】
【００２９】
１０    親指差込み部
１１    超音波振動子
１２    超音波ホーン
２０    押当て部
３０    本体部
３２    ボタン
５０    ビール缶
１００    ビール泡立て装置
【図１】
2020104901.tif 000003
【図２】
2020104901.tif 000004
【図３】
2020104901.tif 000005
【図４】
2020104901.tif 000006
【図５】
2020104901.tif 000007